(57)【要約】  分離器１は、長手方向の一端部に形成された第１の管口２１と、長手方向の他端部に形成された第２の管口２２と、第１の管口２１と第２の管口２２の間の側面に形成された差し込み穴２３と、差し込み穴２３を含む内周面に形成された他の部分よりの厚さよりも厚い肉寄せ部２４と、を有する容器本体２と、差し込み穴２３に取り付けられる配管３と、を備えている。
2020194645.tif 000002
【特許請求の範囲】
【請求項１】
長手方向の一端部に形成された第１の管口と、長手方向の他端部に形成された第２の管口と、前記第１の管口と前記第２の管口の間の側面に形成された差し込み穴と、前記差し込み穴を含む内周面に形成された他の部分よりの厚さよりも厚い肉寄せ部と、を有する容器本体と、
前記差し込み穴に取り付けられる配管と、を備えた分離器。
【請求項２】
前記肉寄せ部の厚さは、前記容器本体における他の部分の厚さの３〜５倍である請求項１に記載の分離器。
【請求項３】
前記肉寄せ部は、内側表面にしわ状の凹凸を有する請求項１または請求項２に記載の分離器。
【請求項４】
前記肉寄せ部は、ハイドロフォーミング加工により形成されるものである請求項１〜３のいずれか一項に記載の分離器。
【請求項５】
前記配管は、ろう付けにより前記差し込み穴に取り付けられるものである請求項１〜４のいずれか一項に記載の分離器。
【請求項６】
前記配管は、冷凍機油を含む冷媒を前記容器本体内に流入する流入部であり、
前記第１の管口は、前記容器本体内で分離されたガス冷媒を排出する冷媒排出部であり、
前記第２の管口は、前記容器本体内で分離された冷凍機油を排出する油排出部である請求項１から５のいずれか一項に記載の分離器から構成される油分離器。
【請求項７】
請求項６に記載の油分離器を搭載した空気調和装置。
【請求項８】
前記配管は、気液二相冷媒を前記容器本体内に流入する流入部であり、
前記第１の管口は、前記容器本体内で分離されたガス冷媒を排出するガス冷媒排出部であり、
前記第２の管口は、前記容器本体内で分離された液冷媒を排出する液冷媒排出部である請求項１から５のいずれか一項に記載の分離器から構成される気液分離器。
【請求項９】
請求項８に記載の気液分離器を搭載した空気調和装置。
【請求項１０】
素管を外型で挟んで配置する工程と、
前記素管の両端から軸押し工具を押し込み、前記素管を固定する工程と、
前記素管の内部に流体を充填する工程と、
前記素管の両端からさらに前記軸押し工具を押し込み、前記素管の内周面に肉寄せ部を形成する工程と、
記肉寄せ部を含む前記素管の側面に差し込み穴を形成する工程と、
前記差し込み穴に配管を取り付ける工程と、を含む分離器の製造方法。
【請求項１１】
さらに、前記素管の両端部を縮管加工により第１の管口および第２の管口を形成する工程を含む請求項１０に記載の分離器の製造方法。
【請求項１２】
前記軸押し工具は、前記素管の内側に挿入される挿入部と、前記素管の端面に押し当てられる押し当て部と、流体を前記素管の内部に送り込むノズル穴を有する請求項１０または請求項１１に記載の分離器の製造方法。
【請求項１３】
前記挿入部の外径は、前記素管の内径とほぼ等しい形状である請求項１２に記載の分離器の製造方法。
【請求項１４】
前記素管の内部に流体を充填する工程と、前記素管の両端からさらに前記軸押し工具を押し込み、前記素管の内周面に肉寄せ部を形成する工程は同時に実施される請求項１０〜１３のいずれか一項に記載の分離器の製造方法。
【請求項１５】
前記配管は、ろう付けにより前記差し込み穴に取り付けられる請求項１０〜１４のいずれか一項に記載の分離器の製造方法。
【発明の詳細な説明】
【技術分野】
【０００１】
本発明は、例えば空気調和装置の冷凍サイクルに用いられる分離器、油分離器および気液分離器、ならびに分離器の製造方法に関するものである。
【背景技術】
【０００２】
空気調和装置は、圧縮機、凝縮器、膨張弁、蒸発器などから構成され、冷媒を循環させる冷凍サイクルを備えている。このような冷凍サイクルではさらに、冷媒と冷凍機油を分離するための油分離器（例えば、特許文献１参照）や気液二相冷媒をガス冷媒と液冷媒に分離するための気液分離器（例えば、特許文献２参照）を備えることがある。
【先行技術文献】
【特許文献】
【０００３】
【特許文献１】特開２００４−１６９９８３号公報
【特許文献２】実開平４−７４２６９号公報
【発明の概要】
【発明が解決しようとする課題】
【０００４】
一般的な油分離器や気液分離器は、円筒形状の容器の長手方向の両端部と側面のそれぞれに冷媒や冷凍機油が出入りするための出入口配管を有する。つまり、油分離器や気液分離器は、Ｔ字形状をなすように３つの出入口配管を有する。油分離器の場合、３つの配管のいずれか１つから冷凍機油が混合した冷媒が容器内に流入し、残りの２つから分離した冷媒と冷凍機油がそれぞれ流出する。一方、気液分離器の場合、３つの配管のいずれか１つから気液二相冷媒が容器内に流入し、残りの２つからガス冷媒と液冷媒がそれぞれ流出する。このような分離器を製造する場合、容器の側面の出入口配管は、容器の側面に穴あけ加工などであけられた穴にろう付けなどで取り付けられる。
しかし、このように製造された分離器では、経年劣化し、内部に高い圧力がかかったときに、容器と配管をろう付けした箇所に亀裂が入り破損してしまう。これは容器の素材の耐久性よりもろう付け箇所の耐久性が低いためであり、素材の耐久性を十分に発揮できていないことを意味している。【０００５】
本発明は、上述のような問題を解決するためになされたものであり、ろう付けで配管を取り付けた場合でも、ろう付けした箇所から破損せず、容器の素材の耐久性を十分に活かした分離器を提供することを目的とする。
【課題を解決するための手段】
【０００６】
本発明における分離器は、分離器は、長手方向の一端部に形成された第１の管口と、長手方向の他端部に形成された第２の管口と、第１の管口と第２の管口の間の側面に形成された差し込み穴と、差し込み穴を含む内周面に形成された他の部分の厚さよりも厚い肉寄せ部と、を有する容器本体と、差し込み穴に取り付けられる配管と、を備えたものである。
【発明の効果】
【０００７】
本発明における分離器によれば、容器の素材の耐久性を十分に活かすことができるため、従来より高い内圧に耐えることができる。
【図面の簡単な説明】
【０００８】
【図１】本発明の実施の形態１に係る分離器の断面図である。
【図２ａ】本発明の実施の形態１に係る分離器の製造工程を示す工程別断面図である。
【図２ｂ】本発明の実施の形態１に係る分離器の製造工程を示す工程別断面図である。
【図２ｃ】本発明の実施の形態１に係る分離器の製造工程を示す工程別断面図である。
【図２ｄ】本発明の実施の形態１に係る分離器の製造工程を示す工程別断面図である。
【図２ｅ】本発明の実施の形態１に係る分離器の製造工程を示す工程別断面図である。
【図２ｆ】本発明の実施の形態１に係る分離器の製造工程を示す工程別断面図である。
【図２ｇ】本発明の実施の形態１に係る分離器の製造工程を示す工程別断面図である。
【図３】本発明の実施の形態１の分離器の変形例を示す断面図である。
【図４】変形例に係る分離器の製造工程の一部を示す工程断面図である。
【図５】本発明の実施の形態１に係る分離器から構成される油分離器の断面図である。
【図６】本発明の実施の形態１に係る分離器から構成される気液分離器の断面図である。
【発明を実施するための形態】
【０００９】
以下、本発明の実施の形態に係る分離器について図面などを参照しながら説明する。なお、各図中、同一または相当する部分には、同一符号を付して、その説明を適宜省略または簡略化する。また、各図に記載の構成について、その形状、大きさおよび配置などは、この発明の範囲内で適宜変更することができる。
【００１０】
実施の形態１．
図１は、本発明の実施の形態１に係る分離器１の断面図である。本発明に係る分離器１は、空気調和装置における冷凍サイクル中に設置される油分離器や気液分離器として用いることができる。なお、分離器１を油分離器や気液分離器として用いる場合の詳細な説明については後述する。
【００１１】
分離器１は、円筒形状で中空の容器本体２と容器本体２の側面に取り付けられた配管３から構成される。容器本体２は、銅製の素管から形成され、分離器１の本体を構成する。容器本体２は、円筒形状であり、長手方向の一端部に第１の管口２１を有し、他端部に第２の管口２２を有する。第１の管口２１および第２の管口２２は、縮管加工などで形成される。また容器本体２は、第１の管口２１と第２の管口２２の間の側面に配管３が取り付けられる差し込み穴２３を有する。差し込み穴２３は、一般的な穴あけ加工などにより形成される。配管３はろう付けなどによって差し込み穴２３に取り付けられる。
【００１２】
さらに容器本体２は、差し込み穴２３を含む容器の内周面に、他の部分の厚さよりも厚い肉寄せ部２４を有する。肉寄せ部２４は、後述するハイドロフォーミング加工により形成される。肉寄せ部２４以外の部分の厚さは、容器本体２の元となる素管の厚さを維持しており、例えば１〜２ｍｍである。それに対して肉寄せ部２４の厚さは、素管の厚さの約３〜５倍にすることが好ましく、例えば５〜１０ｍｍとする。
【００１３】
従来の分離器は、本発明における肉寄せ部を有しておらず、素管の厚さのままで側面に穴あけ加工などにより差し込み穴を形成し、ろう付けで配管を取り付けていた。このように製造された分離器では経年劣化し、内部に高い圧力がかかった場合、容器本体の差し込み穴と配管をろう付けした箇所に亀裂が入り破損することがあった。これは容器本体の素材である銅の耐久性よりもろう付け箇所の耐久性が低いことが原因である。一方、本発明に係る分離器１は、他の部分の厚さよりも厚い肉寄せ部２４を含む箇所に差し込み穴２３を形成し、配管３をろう付けにより取り付けている。このように分離器１を製造することによって、ろう付け箇所の耐久性を容器本体の素材である銅の耐久性よりも高めることができる。
【００１４】
耐圧試験では従来の分離器の場合、内部に１０．０ＭＰａをかけたところで容器本体の差し込み穴と配管のろう付け箇所に亀裂が入り破損した。一方、本発明に係る分離器１では内部に１６．０ＭＰａをかけたところで、肉寄せ部２４以外の容器本体２の側面に亀裂が入り破損した。これは素管の素材である銅本来の耐久性を十分に発揮できていることを意味している。以上のように、本発明に係る分離器１は、従来の分離器に比べて高い内圧に耐えることができる。
【００１５】
次に、本実施の形態に係る分離器１の製造方法について説明する。図２は、本発明の実施の形態１に係る分離器の製造工程を示す工程別断面図である。
【００１６】
図２ａに示すように、まず容器本体２の元となる円筒形状の素管２０を外型４、４で挟んで配置させる。本実施の形態では、素管２０として厚さ約１．５ｍｍの銅製の中空管を用いている。
【００１７】
次に図２ｂのように素管２０の両端から軸押し工具５を押し込み、素管２０を固定する。軸押し工具５は、素管２０の内側に挿入される挿入部５１と素管２０の端面に押し当てられる押し当て部５２と水などの流体を素管２０の内部に送り込むノズル穴５３を有する。挿入部５１の外径は、素管２０の内径とほぼ等しい形状である。そのため、軸押し工具５の挿入部５１を素管２０の両端から挿入すると、挿入部５１の外面は素管２０の内面に当接し、素管２０は挿入部５１と外型４に挟まれる状態になる。なお、この工程では軸押し工具５を押し当て部５２が素管２０の端面に当接するまで押し込む。
【００１８】
次に図２ｃにようにノズル穴５３を介して水などの流体を素管２０の内部に充填し、内圧を加える。図２ｃに記載されている矢印は流体がノズル穴５３を通って素管２０の内部に流れ込んでいる様子を表している。
【００１９】
次に図２ｄのように素管２０の内部を流体で充填した状態のまま図２ｂの工程よりもさらに軸押し工具５を素管２０の両端から押し込む。素管２０は押し当て部５２により両端から押し込まれるため、挿入部５１と当接していない部分に素管２０が肉寄せされて肉寄せ部２４が形成される。このとき、流体により内側から素管２０に内圧をかけつつ、両端から軸押し工具５を押し込むことによって、座屈を防止しながら肉寄せ部２４を形成することができる。肉寄せ部２４は、肉寄せされて形成されるため、内側表面にしわ状の凹凸を有する。なお、図２ｃと図２ｄで説明したように流体を用いて加工することをハイドロフォーミング加工あるいはハイドロフォーム加工と呼ぶ。本実施の形態では、ハイドロフォーミング加工を用いることで、素管２０の内周面に肉寄せ部２４を形成する。
【００２０】
肉寄せ部２４を形成した後は、図２ｅのように素管２０を外型４や軸押し工具５から取り外し、肉寄せ部２４を含む側面に差し込み穴２３を形成する。差し込み穴２３を形成する方法は一般的な穴あけ加工で良い。
【００２１】
その後、図２ｆにように素管２０の両端部を縮管加工などにより第１の管口２１および第２の管口２２を形成する。ここまでの製造工程により本実施の形態に係る分離器１の容器本体２を得る。
【００２２】
最後に、図２ｇにように容器本体２の差し込み穴２３に配管３をろう付けなどにより取り付ける。以上説明したように図２ａ〜図２ｇに示す製造工程により、本実施の形態に係る分離器１を得る。
【００２３】
上記の製造方法によれば、本発明に係る分離器１は第１の管口２１と第２の管口２２の間の内周面に肉寄せ部２４を有し、肉寄せ部２４を含む側面に形成された差し込み穴２３に配管３をろう付けで取り付けているため、ろう付け箇所の耐久性を容器本体の素材である銅の耐久性よりも高めることができる。
【００２４】
なお、肉寄せ部２４の幅ｗと厚さｔは軸押し工具５を押し込む程度と軸押し工具５の挿入部５１の長さによって調整することができる。肉寄せ部２４の幅ｗは、図２ｄに示すように軸押し工具５を押し込んだ際に２つの軸押し工具５の挿入部５１の先端が離れている距離と等しくなる。また肉寄せ部２４の厚さｔは、図２ｄの工程で軸押し工具５を押し込む程度と幅ｗに基づいて決まる。つまり、素管２０の体積は図２ｄの工程の前後で変わることはないため、軸押し工具５により押し込まれた分が挿入部５１と当接していない部分に肉寄せされて、肉寄せ部２４として形成される。したがって、肉寄せ部２４の幅ｗと厚さｔは軸押し工具５を押し込む程度と軸押し工具５の挿入部５１の長さによって調整することができる。
【００２５】
また、上記の実施の形態１では、図２ｃで示した素管２０の内部に流体を充填する工程の後に図２ｄで示した軸押し工具５を素管２０の両端からさらに押し込む工程を実施したが、この順番に限定されるものではない。素管２０の内側から圧力を加えずに軸押し工具５を素管２０の両端から押し込まなければ良く、例えば、素管２０の内部に流体を充填する工程と軸押し工具５を素管２０の両端からさらに押し込む工程を同時に実施しても良い。
【００２６】
また、上記の実施の形態１では、図２ｆで示した素管２０の両端部を縮管加工により第１の管口２１および第２の管口２２を形成する工程の後に図２ｇで示した容器本体２の差し込み穴２３に配管３をろう付けなどにより取り付ける工程を実施したが、この順番に限定されるものではない。例えば、容器本体２の差し込み穴２３に配管３をろう付けなどにより取り付ける工程の後に素管２０の両端部を縮管加工などにより第１の管口２１および第２の管口２２を形成する工程を実施しても良い。
【００２７】
＜変形例＞
図３は、本発明の実施の形態１の分離器の変形例を示す断面図である。実施の形態１の分離器１は、容器本体２の長手方向において中央付近に肉寄せ部２４を形成し配管３を有する構成であったが、図３に示す変形例の分離器１ａは、第２の管口２２よりも第１の管口２１に近い側に肉寄せ部２４を形成し配管３を有する構成となっている。肉寄せ部２４および配管３は、分離器１ａを使用する用途や状況に応じて任意の位置に形成することができる。
【００２８】
図４は、変形例に係る分離器１ａの製造工程の一部を示す工程断面図である。図４は、実施の形態１の図２ｄに相当する工程である。図３に示す分離器１ａのように肉寄せ部２４を任意の箇所に形成するためには、素管２０の両端から押し込む軸押し工具５の挿入部５１の長さを調整すれば良い。図２で示す製造工程で説明したように、肉寄せ部２４は素管２０の両端から押し込まれた軸押し工具５の挿入部５１と当接していない素管２０の内周面に形成される。したがって、図４に示すように挿入部５１の長さが異なる軸押し工具５を用いることで、肉寄せ部２４を任意の箇所に形成することができる。
【００２９】
なお、分離器１ａを製造する製造工程は図２で説明した内容と実質的に同じである。図４のように肉寄せ部２４を形成した後は、図２ｅ〜図２ｇで説明したように、肉寄せ部２４を含む側面に差し込み穴２３を形成する工程と、素管２０の両端部を縮管加工などにより第１の管口２１および第２の管口２２を形成する工程と、差し込み穴２３に配管３をろう付けなどにより取り付ける工程を経て分離器１ａを製造する。
【００３０】
以上説明したように、実施の形態１に係る分離器１は、長手方向の一端部に形成された第１の管口２１と、長手方向の他端部に形成された第２の管口２２と、第１の管口２１と第２の管口２２の間の側面に形成された差し込み穴２３と、差し込み穴２３を含む内周面に形成された他の部分の厚さよりも厚い肉寄せ部２４と、を有する容器本体２と、差し込み穴２３に取り付けられる配管３と、を備える。
【００３１】
この構成によれば、ろう付け箇所の耐久性を容器本体の素材である銅の耐久性よりも高めることができるため、ろう付けした箇所から破損しなくなる。つまり、容器の素材の耐久性を十分に活かすことができるため、従来より高い内圧に耐えることができる。
【００３２】
また実施の形態１に係る分離器１において、肉寄せ部２４の厚さは、容器本体２における他の部分の厚さの３〜５倍である。この構成によれば、ろう付け箇所の耐久性を容器本体の素材である銅の耐久性よりも高めることができる。
【００３３】
また実施の形態１に係る分離器１において、肉寄せ部２４は、ハイドロフォーミング加工により流体で内圧を加えつつ、肉寄せされて形成されるため、内側表面にしわ状の凹凸を有する。この構成によれば、座屈を防止しながら肉寄せ部２４を形成することができる。
【００３４】
また実施の形態１に係る分離器１の製造方法は、素管２０を外型４で挟んで配置する工程と、素管２０の両端から軸押し工具５を押し込み、素管２０を固定する工程と、素管２０の内部に流体を充填する工程と、素管２０の両端からさらに軸押し工具５を押し込み、素管２０の内周面に肉寄せ部２４を形成する工程と、肉寄せ部２４を含む素管２０の側面に差し込み穴２３を形成する工程と、差し込み穴２３に配管３を取り付ける工程と、を含む。
【００３５】
この製造方法によって製造される分離器１は、ろう付け箇所の耐久性を容器本体の素材である銅の耐久性よりも高めることができるため、ろう付けした箇所から破損しなくなる。つまり、容器の素材の耐久性を十分に活かすことができるため、従来より高い内圧に耐えられる分離器１を得ることができる。
【００３６】
また実施の形態１に係る分離器１の製造方法は、さらに素管２０の両端部を縮管加工により第１の管口２１および第２の管口２２を形成する工程を含む。
【００３７】
また実施の形態１に係る分離器１の製造方法において、軸押し工具５は、素管２０の内側に挿入される挿入部５１と、素管２０の端面に押し当てられる押し当て部５２と、流体を素管２０の内部に送り込むノズル穴５３を有する。また挿入部５１の外径は、素管２０の内径とほぼ等しい形状である。この製造方法によれば、使用する用途や状況に応じて任意の位置に肉寄せ部２４を形成することができる。
【００３８】
また実施の形態１に係る分離器１の製造方法において、素管２０の内部に流体を充填する工程と、素管２０の両端からさらに軸押し工具５を押し込み、素管２０の内周面に肉寄せ部２４を形成する工程は同時に実施される。この製造方法によれば、座屈を防止しながら、肉寄せ部２４を形成することができる。
【００３９】
また実施の形態１に係る分離器１の製造方法において、配管３は、ろう付けにより差し込み穴２３に取り付けられる。
【００４０】
実施の形態２．
本発明の実施の形態２では実施の形態１の分離器１を油分離器として用いた場合について説明する。図５は、本発明の実施の形態１に係る分離器を油分離器として用いるときの断面図である。図５において、図１と同じ符号を付けたものは、同一または対応する構成を示しており、その説明を省略する。
【００４１】
油分離器１００は、圧縮機の吐出側に設置され、圧縮機から吐出された冷凍機油を含む冷媒から冷媒と冷凍機油を分離する装置である。油分離器１００は、流入部１０１、冷媒排出部１０２、油排出部１０３を備える。
【００４２】
流入部１０１は、実施の形態１の配管３に相当し、圧縮機から吐出された冷媒を容器本体２内に流入する部分である。冷媒排出部１０２は、実施の形態１の第１の管口２１に相当し、容器本体２内で分離されたガス冷媒を油分離器１００から排出する部分である。油排出部１０３は、実施の形態１の第２の管口２２に相当し、容器本体２内で分離された冷凍機油を油分離器１００から排出する部分である。
【００４３】
油分離器１００は、冷媒排出部１０２が油排出部１０３より上方に位置し、冷凍機油を含んだ冷媒が流入部１０１を介して水平方向から容器本体２に流入するように設けられている。このように設置することで、流入部１０１を介して油分離器１００内に流入した冷凍機油を含んだ冷媒は、容器本体２の内面に沿って旋回しながら下降する。その際に、冷媒中に含まれる冷凍機油は容器本体２の内面に付着して冷媒から分離される。そして、冷凍機油は重力の作用により、油分離器１００の下部に移動し、油排出部１０３を介して油分離器１００から排出される。排出された冷凍機油は、圧縮機の吸入側へ戻される。
【００４４】
一方、流入部１０１を介して流入した冷媒は高温高圧のガス冷媒であるため、容器本体２内で冷凍機油から分離して、冷媒排出部１０２を介して油分離器１００から排出される。
【００４５】
なお、実施の形態２に係る油分離器１００は、少なくとも圧縮機、凝縮器、膨張弁、蒸発器を有する冷凍サイクルを備えた空気調和装置に搭載される。油分離器１００は、圧縮機と凝縮器の間に設置されて、圧縮機から吐出された冷凍機油を含む冷媒から冷媒と冷凍機油を分離する。流入部１０１は圧縮機の吐出側と接続され、冷媒排出部１０２は凝縮器と接続され、油排出部１０３は圧縮機の吸入側と接続される。このように設置することで、圧縮機から吐出された冷凍機油を冷媒から分離させ、圧縮機に返油することができる。
【００４６】
以上説明したように、実施の形態１で説明した分離器は、配管３を冷凍機油を含んだ冷媒を容器本体２内に流入する流入部１０１とし、第１の管口２１を容器本体２内で分離されたガス冷媒を油分離器１００から排出する冷媒排出部１０２とし、第２の管口２２を容器本体２内で分離された冷凍機油を油分離器１００から排出する油排出部１０３とし、冷媒排出部１０２が油排出部１０３より上方に位置することで、油分離器１００として用いることができる。
【００４７】
実施の形態３．
本発明の実施の形態３では実施の形態１の分離器１を気液分離器として用いた場合について説明する。図６は、本発明の実施の形態１に係る分離器を気液分離器として用いるときの断面図である。図６において、図１と同じ符号を付けたものは、同一または対応する構成を示しており、その説明を省略する。
【００４８】
気液分離器２００は、凝縮器で凝縮された気液二相冷媒をガス冷媒と液冷媒に分離する装置である。気液分離器２００は、流入部２０１、ガス冷媒排出部２０２、液冷媒排出部２０３を備える。
【００４９】
流入部２０１は、実施の形態１の配管３に相当し、気液二相冷媒を容器本体２内に流入する部分である。ガス冷媒排出部２０２は、実施の形態１の第１の管口２１に相当し、容器本体２内で分離されたガス冷媒を気液分離器２００から排出する部分である。液冷媒排出部２０３は、実施の形態１の第２の管口２２に相当し、容器本体２内で分離された液冷媒を気液分離器２００から排出する部分である。
【００５０】
気液分離器２００は、ガス冷媒排出部２０２が液冷媒排出部２０３より上方に位置し、気液二相冷媒が流入部２０１を介して水平方向から容器本体２に流入するように設けられている。このように設置することで、流入部２０１を介して気液分離器２００内に流入した気液二相冷媒のうちの液冷媒は、重力の作用により、気液分離器２００の下部に移動し、液冷媒排出部２０３を介して気液分離器２００から排出される。一方、気液二相冷媒のうちのガス冷媒は、高温高圧のガス冷媒であるため、容器本体２内で液冷媒から分離して、ガス冷媒排出部２０２を介して気液分離器２００から排出される。
【００５１】
なお、実施の形態３に係る気液分離器２００は、少なくとも圧縮機、凝縮器、膨張弁、蒸発器を有する冷凍サイクルを備えた空気調和装置に搭載される。気液分離器２００は、凝縮器と膨張弁の間に設置され、凝縮器で凝縮された気液二相冷媒をガス冷媒と液冷媒に分離する。流入部１０１は凝縮器と接続され、ガス冷媒排出部２０２は圧縮機の吸入側を接続され、液冷媒排出部２０３は膨張弁に接続される。このように設置することで、凝縮器で凝縮された気液二相冷媒をガス冷媒と液冷媒に分離することができる。
【００５２】
以上説明したように、実施の形態１で説明した分離器は、配管３を気液二相冷媒を容器本体２内に流入する流入部２０１とし、第１の管口２１を容器本体２内で分離されたガス冷媒を気液分離器２００から排出するガス冷媒排出部２０２とし、第２の管口２２を容器本体２内で分離された液冷媒を気液分離器２００から排出する液冷媒排出部２０３とし、ガス冷媒排出部２０２が液冷媒排出部２０３より上方に位置することで、気液分離器２００として用いることができる。
【００５３】
以上、本発明を、上記実施の形態を用いて説明したが、本発明の技術的範囲は上記実施の形態に記載の範囲には限定されない。発明の要旨を逸脱しない範囲で上記各実施の形態に多様な変更又は改良を加えることができ、該変更又は改良を加えた形態も本発明の技術的範囲に含まれる。
【符号の説明】
【００５４】
１  分離器、１ａ  分離器、２  容器本体、３  配管、４  外型、５  軸押し工具、２１  第１の管口、２２  第２の管口、２３  差し込み穴、２４  肉寄せ部、５１  挿入部、５２  押し当て部、５３  ノズル穴、１００  油分離器、１０１  流入部、１０２  冷媒排出部、１０３  油排出部、２００  気液分離器、２０１  流入部、２０２  ガス冷媒排出部、２０３  液冷媒排出部、ｗ  幅、ｔ  厚さ
【図１】
2020194645.tif 000003
【図２ａ】
2020194645.tif 000004
【図２ｂ】
2020194645.tif 000005
【図２ｃ】
2020194645.tif 000006
【図２ｄ】
2020194645.tif 000007
【図２ｅ】
2020194645.tif 000008
【図２ｆ】
2020194645.tif 000009
【図２ｇ】
2020194645.tif 000010
【図３】
2020194645.tif 000011
【図４】
2020194645.tif 000012
【図５】
2020194645.tif 000013
【図６】
2020194645.tif 000014
【手続補正書】
【提出日】令和3年3月26日(2021.3.26)
【手続補正１】
【補正対象書類名】明細書
【補正対象項目名】０００６
【補正方法】変更
【補正の内容】
【０００６】
本発明における分離器は、長手方向の一端部に形成された第１の管口と、長手方向の他端部に形成された第２の管口と、第１の管口と第２の管口の間の側面に形成された差し込み穴と、差し込み穴を含む内周面に形成された他の部分の厚さよりも厚い肉寄せ部と、を有する容器本体と、差し込み穴に取り付けられる配管と、を備え、肉寄せ部は、容器本体が肉寄せされて形成されたものである。
【手続補正２】
【補正対象書類名】特許請求の範囲
【補正対象項目名】全文
【補正方法】変更
【補正の内容】
【特許請求の範囲】
【請求項１】
長手方向の一端部に形成された第１の管口と、長手方向の他端部に形成された第２の管口と、前記第１の管口と前記第２の管口の間の側面に形成された差し込み穴と、前記差し込み穴を含む内周面に形成された他の部分の厚さよりも厚い肉寄せ部と、を有する容器本体と、
前記差し込み穴に取り付けられる配管と、を備え、
前記肉寄せ部は、前記容器本体が肉寄せされて形成されたものである分離器。
【請求項２】
前記肉寄せ部の厚さは、前記容器本体における他の部分の厚さの３〜５倍である請求項１に記載の分離器。
【請求項３】
前記肉寄せ部は、内側表面にしわ状の凹凸を有する請求項１または請求項２に記載の分離器。
【請求項４】
前記肉寄せ部は、ハイドロフォーミング加工により形成されるものである請求項１〜３のいずれか一項に記載の分離器。
【請求項５】
前記配管は、ろう付けにより前記差し込み穴に取り付けられるものである請求項１〜４のいずれか一項に記載の分離器。
【請求項６】
前記配管は、冷凍機油を含む冷媒を前記容器本体内に流入する流入部であり、
前記第１の管口は、前記容器本体内で分離されたガス冷媒を排出する冷媒排出部であり、
前記第２の管口は、前記容器本体内で分離された冷凍機油を排出する油排出部である請求項１〜５のいずれか一項に記載の分離器から構成される油分離器。
【請求項７】
請求項６に記載の油分離器を搭載した空気調和装置。
【請求項８】
前記配管は、気液二相冷媒を前記容器本体内に流入する流入部であり、
前記第１の管口は、前記容器本体内で分離されたガス冷媒を排出するガス冷媒排出部であり、
前記第２の管口は、前記容器本体内で分離された液冷媒を排出する液冷媒排出部である請求項１〜５のいずれか一項に記載の分離器から構成される気液分離器。
【請求項９】
請求項８に記載の気液分離器を搭載した空気調和装置。
【請求項１０】
素管を外型で挟んで配置する工程と、
前記素管の両端から軸押し工具を押し込み、前記素管を固定する工程と、
前記素管の内部に流体を充填する工程と、
前記素管の両端からさらに前記軸押し工具を押し込み、前記素管の内周面に肉寄せ部を形成する工程と、
記肉寄せ部を含む前記素管の側面に差し込み穴を形成する工程と、
前記差し込み穴に配管を取り付ける工程と、を含む分離器の製造方法。
【請求項１１】
さらに、前記素管の両端部を縮管加工により第１の管口および第２の管口を形成する工程を含む請求項１０に記載の分離器の製造方法。
【請求項１２】
前記軸押し工具は、前記素管の内側に挿入される挿入部と、前記素管の端面に押し当てられる押し当て部と、流体を前記素管の内部に送り込むノズル穴を有する請求項１０または請求項１１に記載の分離器の製造方法。
【請求項１３】
前記挿入部の外径は、前記素管の内径とほぼ等しい形状である請求項１２に記載の分離器の製造方法。
【請求項１４】
前記素管の内部に流体を充填する工程と、前記素管の両端からさらに前記軸押し工具を押し込み、前記素管の内周面に肉寄せ部を形成する工程は同時に実施される請求項１０〜１３のいずれか一項に記載の分離器の製造方法。
【請求項１５】
前記配管は、ろう付けにより前記差し込み穴に取り付けられる請求項１０〜１４のいずれか一項に記載の分離器の製造方法。
【国際調査報告】
2020194645.tif 000015
2020194645.tif 000016
2020194645.tif 000017
2020194645.tif 000018